(57)【要約】【課題】  安価で汎用性がありながら、散水部からの散水を止めている時に散水部から水が垂れることを防止するシャワーヘッドを提供すること。【解決手段】  複数の散水孔から湯水を散水する散水部と、前記複数の散水孔に湯水を導く導水部と、前記散水部の裏側に当接され網目状の通水路が形成された網体部と、を有するシャワーヘッドであって、前記複数の散水孔と対向している前記網体部の裏側の一部が、湯水を通さないシート部材により覆われていることを特徴とするシャワーヘッド。【選択図】  図１
2012143468.tif 000002
【特許請求の範囲】
【請求項１】
複数の散水孔から湯水を散水する散水部と、前記複数の散水孔に湯水を導く導水部と、前記散水部の裏側に当接され網目状の通水路が形成された網体部と、を有するシャワーヘッドであって、
前記複数の散水孔と対向している前記網体部の裏側の一部が、湯水を通さないシート部材により覆われていることを特徴とするシャワーヘッド。
【請求項２】
前記シート部材は、前記複数の散水孔のうち外側に配置される前記散水孔を覆うように環状に形成されていることを特徴とする請求項１に記載のシャワーヘッド。
【請求項３】
前記シート部材は、前記導水部の周壁に接することで前記シート部材を位置決めする複数の凸部と、前記複数の凸部の間に形成され前記複数の散水孔に湯水を通す複数の凹部と、を外縁部に有していることを特徴とする請求項２に記載のシャワーヘッド。
【発明の詳細な説明】
【技術分野】
【０００１】
本発明は、シャワーヘッドに関し、特に、安価で汎用性がありながら、散水部からの散水を止めている時に散水部から水が垂れることを防止するシャワーヘッドに関する。
【背景技術】
【０００２】
従来のシャワーヘッドは、散水部からの散水を止めている時に散水部の散水孔から導水部の湯水が流れ出すという問題点があった。そこで、散水部からの散水を止めている時に散水孔から導水部の湯水が流れ出さないように、導水部に網体部を設けることで導水部に残った湯水を網体部に保水させ、表面張力を生じさせやすくしたシャワーヘッドが提案されていた。
【０００３】
具体的には、散水孔から導水部の湯水がより確実に流れ出さないように、散水孔の周囲に凸部を形成して当該凸部に網体部を当接させたシャワーヘッドや、散水部に金属の薄板に複数の小孔を形成したエッチング網と金属の線材を編みこんで形成した金網を重ね合わせたシャワーヘッドが提案されていた。
【先行技術文献】
【特許文献】
【０００４】
【特許文献１】特開２００２−３５５５８１号公報
【特許文献２】特開２００４−１３６２４２号公報
【発明の概要】
【発明が解決しようとする課題】
【０００５】
しかしながら、従来技術の散水部の裏側に網体部を有するシャワーヘッドでは、散水部からの散水を急に止めた場合には散水孔から導水部に空気が入り込んでしまい、導水部の湯水が網体部の空気が通った部分に浸水するものの、網体部に浸透した湯水がそのまま保水された状態にはならず、さらに散水孔から導水部に空気が入り込んでしまい、それに伴って導水部の湯水が散水孔から排出されてしまい、散水部から水が垂れてしまうという問題があった。
【０００６】
本発明が解決しようとする課題は、安価で汎用性がありながら、散水部からの散水を止めている時に散水部から水が垂れることを防止するシャワーヘッドを提供することにある。
【課題を解決するための手段】
【０００７】
本発明のシャワーヘッドは、複数の散水孔から湯水を散水する散水部と、前記複数の散水孔に湯水を導く導水部と、前記散水部の裏側に当接され網目状の通水路が形成された網体部と、を有するシャワーヘッドであって、前記複数の散水孔と対向している前記網体部の裏側の一部が、湯水を通さないシート部材により覆われていることを特徴とする。
【０００８】
このような構成とすれば、散水部からの散水を急に止めた場合であっても、複数の散水孔と対向している網体部の裏側の一部が、湯水を通さないシート部材により覆われているので、散水孔から導水部に空気が入り込みにくくすることが可能となる。
【０００９】
また、本発明のシャワーヘッドは、上記構成に加え、前記シート部材は、前記複数の散水孔のうち外側に配置される前記散水孔を覆うように環状に形成されていることを特徴とする。
【００１０】
このような構成とすれば、空気が入り込みやすい外側の散水孔をシート部材が網体部の裏側から当接するだけで良くなるので、散水部の吐水形態に影響が及ばないようにすることができる。
【００１１】
また、本発明のシャワーヘッドは、前記シート部材は、前記導水部の周壁に接することで前記シート部材を位置決めする複数の凸部と、前記複数の凸部の間に形成され前記複数の散水孔に湯水を通す複数の凹部と、を外縁部に有していることを特徴とする。
【００１２】
このような構成とすれば、導水部の水がシート部材の中央だけでなく凹部からも散水孔に導かれるようになるので、より散水部の吐水形態に影響が及ばないようにすることができる。
【発明の効果】
【００１３】
本発明により、散水部からの散水を急に止めた場合であっても、複数の散水孔と対向している網体部の裏側の一部が、湯水を通さないシート部材によって覆われているので、散水孔から導水部に空気が入り込みにくくすることが可能となる。また、空気が入り込みやすい外側の散水孔をシート部材が網体部の裏側から当接するだけで良くなるので、散水部の吐水形態に影響が及ばないようにすることができる。また、導水部の水がシート部材の中央だけでなく凹部からも散水孔に導かれるようになるので、より散水部の吐水形態に影響が及ばないようにすることができる。
【図面の簡単な説明】
【００１４】
【図１】シャワーヘッドの構成部品を表した分解図である。
【図２】図１に示すシャワーヘッドの断面図である。
【図３】図２で示すシャワーヘッドの断面図の模式図である。
【図４】図１、図２、図３に示すシート部材の平面図である。
【発明を実施するための形態】
【００１５】
以下、図１〜図４に基づいて本発明の実施の形態について説明する。図１は、シャワーヘッドの構成部品を表した分解図である。図２は、図１に示すシャワーヘッドの断面図である。図３は、図２で示すシャワーヘッドの断面図の模式図である。図４は、図１、図２、図３に示すシート部材の平面図である。
【００１６】
図１に示すように、本発明のシャワーヘッドは、複数の散水孔２から湯水を散水する散水板（散水部）３と、複数の散水孔２に湯水を導く導水部１と、散水板３の裏側に当接され網目状の通水路が形成された網体（網体部）５と、を有している。本発明のシャワーヘッドは、更に複数の散水孔２と対向している網体５の裏側の一部が、湯水を通さないシート部材６により覆われている。尚、シャワーヘッドの散水孔２は、散水板３に直接穴が開けられたものであっても、図１に示すように穴が開けられたゴム部品４を散水板３に固定させたものであっても良い。
【００１７】
シャワーヘッドに設けられた給水口から供給された湯水は、導水部１を通過した後に散水板３に形成された複数の散水孔２から吐水される。本発明のシャワーヘッドでは、更に導水部１に、散水板３の裏側に当接した網体５と、その裏側に湯水を通さないシート部材６と、を有しているので、給水口から供給された湯水は、網体５の隙間を通過した後、湯水を通さないシート部材６を避けて散水板３に形成された複数の散水孔２から外部に吐水される。
【００１８】
網体５は、散水板３に形成される複数の散水孔２をすべて覆うように導水部１の散水板３の裏側に当接される。網体５の枚数は任意であるが、例えば図１のように網体５を２枚設置した場合には、網体５に浸透した湯水がそのまま保水された状態を続けやすくすることができる。網体５はシャワーヘッドの内壁部１４にちょうど収まる外径になっており、網体５のずれを防止することができる。
【００１９】
網体５は、金属の薄板に複数の小孔を通水路として形成したエッチング網や、金属の線材を編みこんでその隙間を通水路として形成した金網で形成される。
【００２０】
図２に示すように、散水板３の裏側に設けられた網体５及びシート部材６は、散水板３と継ぎ手７に挟まれる形で固定され、散水板３の裏側に向かって付勢されているので、散水孔２の裏側に網体５及びシート部材６が密接している。従って、散水孔２の裏側の網体５とシート部材６で構成される通水経路を狭くすることができ、散水孔２を通じて空気が侵入する際に抵抗が大きくなり、空気が侵入しにくくすることが可能になる。また、網体５は、ゴム部品４とシート部材６で形成される狭い空間内に配置されるので、シャワーを吐水させて導水部１や散水孔２、網体５が水で満たされている場合にシャワーの吐水を止めても網体内の水が保持されやすくなる。
【００２１】
従って、本発明では、散水部からの散水を急に止めた場合であっても、複数の散水孔と対向している網体部の裏側の一部が、湯水を通さないシート部材によって覆われているので、散水孔から導水部に空気が入り込みにくくすることが可能となる。
【００２２】
図３に示すように、シート部材６は、最外周の散水孔１２及び／又は最外周から２番目の散水孔１３を覆う位置に配置されることが望ましい。
【００２３】
従って、本発明では、空気が入り込みやすい外側の散水孔２をシート部材６が網体５の裏側から当接するだけで良くなるので、散水部の吐水形態に影響が及ばないようにすることができる。
【００２４】
図４に示すように、シート部材６が最外周の散水孔１２及び／又は最外周から２番目の散水孔１３を覆う位置に配置され、組立時や使用時にもずれずに性能が適切に発揮させるために、シート部材６は散水板３の内壁部１４にちょうど収まるような寸法の外径部（外縁部）８を有しており、シート部材６のずれを防止する。
【００２５】
具体的には、シート部材６は、導水部１の内壁部１４に接することでシート部材６を位置決めする複数の凸部１５と、複数の凸部１５の間に形成され複数の散水孔２に湯水を通す複数の凹部１０と、を外径部８に有している。また、シート部材６は、リング状になっており、散水孔２に水を導くために、中心穴９および外形部の凹部１０、小孔１１を有しており、これら複数の通水経路を確保することで、シート部材で散水孔を覆いながらも、散水孔から吐水が妨げられらないようにする。
【００２６】
従って、本発明では、導水部１の水がシート部材６の中央だけでなく凹部１０からも散水孔２に導かれるようになるので、より散水板３の吐水形態に影響が及ばないようにすることができる。
【００２７】
また、シート部材６の中心穴９により、最外周の散水孔１２および最外周から２番目の散水孔１３以外の散水孔にはシート部材が覆いかぶさらないため、水がふさがれることなく散水孔から吐水される。
【符号の説明】
【００２８】
１  導水部
２  散水孔
３  散水板
４  ゴム部品
５  網体
６  シート部材
７  継ぎ手
８  外径部
９  中心穴
１０  外径部の凹部
１１  小孔
１２  最外周の散水孔
１３  最外周から２番目の散水孔
１４  内壁部
１５  外径部の凸部
【図２】
2012143468.tif 000003
【図４】
2012143468.tif 000004
【図１】
2012143468.tif 000005
【図３】
2012143468.tif 000006